(57)【要約】      （修正有）【課題】ベルトの作動を安定させ、かつ円滑に行い、チェーンが外れたり、過度の摩耗が発生したりすることを防ぐベルトドライブ式染色機の軸距調整手段を提供する。【解決手段】内部空間を有する本体１と、本体１の内部空間に設ける一組、又は複数組の搬送手段とを含んでなり、搬送手段が、エンドレス状にかけ渡されたベルト１１と、ベルト１１の一端に設ける可動プーリ１２Ａと、及びベルト１１の他端に設ける固定プーリ１２Ｂと、を含んでなり、固定プーリ１２Ｂ両端の回転軸１２２が、それぞれ軸受を介して本体１の側壁の軸受座に取付けられ、可動プーリ１２Ａ両端の回転軸１２１が軸受を介して位置調整軸受座に取付けられ、かつ位置調整軸受座がドーナッツ状の軸受座ベースに取り付けられ、位置調整軸受座の軸受座ベースに対する位置の違いによって固定プーリ１２Ｂの回転軸１２２と可動プーリ１２Ａの回転軸１２１との間に異なる軸距が発生してベルト１１の引っ張りの度合いを調整するように構成する。【選択図】図１
0003220514.tif 000002
【実用新案登録請求の範囲】
【請求項１】
内部空間を有する本体と、該本体の内部空間に設ける一組、又は複数組の搬送手段とを含んでなり、
該搬送手段が、エンドレス状にかけ渡されたベルトと、該ベルトの一端に設ける可動プーリと、及び該ベルトの他端に設ける固定プーリと、を含んでなり、
該固定プーリ両端の回転軸が、それぞれ軸受を介して該本体の側壁の軸受座に取付けられ、
該可動プーリ両端の回転軸が軸受を介して位置調整軸受座に取付けられ、かつ該位置調整軸受座がドーナッツ状の軸受座ベースに取り付けられ、該位置調整軸受座の該軸受座ベースに対する位置の違いによって該固定プーリの回転軸と該可動プーリの回転軸との間に異なる軸距が発生して該ベルトの引っ張りの度合いを調整するように構成することを特徴とするベルトドライブ式染色機の軸距調整手段。
【請求項２】
前記ベルトの両端のいずれにも前記可動プーリを設け、該可動プーリの回転軸を軸距調整可能に支持することを特徴とする請求項１に記載のベルトドライブ式染色機の軸距調整手段。
【考案の詳細な説明】
【技術分野】
【０００１】
この考案は、布帛染色機に関し、特にベルトドライブ式布帛染色機において、搬送ベルトが摩耗したり、ゆるんだりした場合に搬送ベルトの緊張度を調整するベルトドライブ式布帛染色機の軸距調整手段に関する。
【背景技術】
【０００２】
台湾特許第１０１４８８号公報に開示される、搬送手段を具える染色機は、かつて本願の出願人が発明したものであって、その主な構造は、染色機の本体に搬送ベルトを具える搬送手段を内設してなり、該搬送手段によって被染色物である布帛を循環させて染色を行なう。
【０００３】
上述する染色機は、搬送手段を染色機本体に内設してなり、搬送ベルトのプーリの回転軸は固定されていて、チェーンベルトの長さは制御しにくく、恐らくはきつすぎたり、緩すぎたりする。このため、取付けの不良及び順調に運転できないなどの状況を招く。同時に、搬送手段は本体内に在ってある程度の使用時間が経過すると、搬送ベルトの部品の摩耗が発生する。
【０００４】
また、従来の搬送ベルトの両端のプーリ軸は固定式である。即ち、軸距が固定されていて調整することができないため搬送ベルトのゆるみを招き、搬送ベルトの運転に不利な状況となる。よって、搬送ベルトのゆるみの問題を解決するために、専業の作業員によって搬送ベルトのチェーンの長さを調整するか、もしくはチェーンベルトの適宜な位置に支持手段を設けて緊張度を調整する必要がある。
【先行技術文献】
【特許文献】
【０００５】
【特許文献１】台湾特許第１０１４８８号公報
【考案の概要】
【考案が解決しようとする課題】
【０００６】
この考案は、上述する従来の布帛染色機のａＨＮ層手段において、被染色物である布帛を搬送するベルトが、摩耗によってベルトが伸びて長くなるか、又はベルトが短いことによって、ベルトがきつかったり、緩かったりする状況が発生するという問題を解決し、同時にベルトを最適の長さに調整してベルトの作動を安定させ、かつ円滑に行い、チェーンベルトが外れたり、過度の摩耗が発生したりすることを防ぐベルトドライブ式布帛染色機の軸距調整手段を提供することを課題とする。
【課題を解決するための手段】
【０００７】
そこで、本考案のベルトドライブ式布帛染色機の軸距調整手段は、内部空間を有する本体と、該本体の内部空間に設ける一組、又は複数組の搬送手段とを含んでなり、該搬送手段がエンドレス状にかけ渡されたベルトと、該ベルトの一端に設ける可動プーリと、及び該ベルトの他端に設ける固定プーリと、を含んでなり、該可動プーリは回転軸に固定され、該固定プーリは他の回転軸に固定され、該固定プーリの回転軸は、軸受を介して該本体の側壁に回動自在に、かつ位置が変化することなく取り付けられ、該可動プーリの回転軸は、軸受を介して該本体の側壁に回動自在に、かつ位置が変化するように取り付けられ、該可動プーリの両端は、それぞれ本体側壁の対向する位置に設けたドーナッツ形状の軸受座ベースの中心孔部を通過するように設けられ、さらに該軸受座ベースに対して位置調整軸受座の位置が移動するよう取付け、該位置調整軸受座と該軸受座ベースとが互いに接触し、かつ接触面に止水部材を設けて該位置調整軸受座と該軸受座ベースとの接触面の間からの液漏れ、または圧力の漏れを防ぐ。また、該可動プーリ両端の回転軸と軸受座ベースとの間には軸封手段を設けて液漏れ、又は圧力の漏れを防ぐ。位置を調整する軸受座と軸受座ベースとの間の形状の大きさは、軸距調整の大きさと、密封性によって規定し、設計する。即ち、軸受座と軸受座ベースとの間において如何に位置を変更しようとも、両者の接触面ではいずれからの漏れをも防ぐことができる。
【考案の効果】
【０００８】
この考案のベルトドライブ式染色機の軸距調整手段は、ベルトの長さが不適当であった場合、又は摩耗によって緩んだ場合、ベルトのゆるみ具合を迅速に、かつ容易に調整することができ、ベルトの安定した作動を確保することができ、摩耗を減少させることができる。このため、布帛染色機の使用寿命を延長させるという効果が得られる。
【図面の簡単な説明】
【０００９】
【図１】この考案における布帛染色機の構造を示した平面説明図である。
【図１Ａ】図１に開示する１Ａ部分の拡大図である。
【図２】この考案における位置調整軸受座を示した斜視図である。
【図２Ａ】図２に開示する位置調整軸受座の正面図である。
【図２Ｂ】図２Ａに開示する２Ｂ−２Ｂ線に沿った断面図である。
【図３】この考案における軸受座ベースを示した斜視図である。
【図３Ａ】図３に開示する軸受座ベースの正面図である。
【図３Ｂ】図３Ａに開示する３Ｂ−３Ｂ線に沿った断面図である。
【図４】この考案における位置調整軸受座と軸受座ベースとの中心が完全に合わさった状態を示した説明図である。
【図４Ａ】この考案における位置調整軸受座が軸受座ベースに対して左方向に移動して軸距を延長させた状態を示した説明図である。
【図４Ｂ】この考案における位置調整軸受座が軸受座ベースに対して右方向に移動して軸距を縮小させた状態を示した説明図である。
【考案を実施するための形態】
【実施例】
【００１０】
図１に、この考案によるベルトドライブ方式の布帛染色機Ｍは、内部空間を有する本体１と、本体１の内部空間に設ける搬送手段とを含んでなる。該搬送手段は、エンドレス状にかけ渡されたベルト１１と、ベルト１１の一端に設ける可動プーリ１２Ａと、ベルト１１の他端に設ける固定プーリ１２Ｂとを含んでなる。可動プーリ１２Ａは、両端面の中心にそれぞれ回転軸１２１を設け、固定プーリ１２Ｂは、両端面の中心にそれぞれ回転軸１２２を設ける。固定プーリ１２Ｂの回転軸１２２は、それぞれ固定プーリ回転軸取付け手段２を介して本体１の側壁に取付け、かつ回転軸１２２は本体１の側壁の一定の位置に回動自在に取り付けられ、取付け位置が移動することはない。可動プーリ１２Ａの両端の回転軸１２１は、それぞれ可動プーリ回転軸取付け手段３を介して本体１の側壁に取付け、かつ回転軸１２２は本体１内において回動自在に設けられるとともに、本体１内において位置が移動し、自在に変更できるように設ける。明確に述べると、固定プーリ回転軸取付け手段２は、本体１の側壁に設ける軸受座として用い、固定プーリ１２の両端の回転軸１２２は、軸受を介して軸受座に回動自在に支持され、固定プーリ１２Ｂと回転軸１２２は、回転はしても、本体１に対して位置が移動することがない。
【００１１】
図１Ａ、図２、図２Ａ、図２Ｂ、図３、図３Ａ及び図３Ｂに開示するように、この考案における可動プーリ回転軸取付け手段３の好ましい実施の形態は、位置調整軸受座３１と、ドーナッツ状の軸受座ベース３２とを含む。図２、図２Ａ、図２Ｂに開示するように、位置調整軸受座３１は、円形の板体３１１を具え、板体３１１の一方の面を軸受座として軸受を設けるとともに、板体３１１には軸孔３１３を形成する。また、位置調整軸受座３１の板体３１１には、水平方向に長い複数の横長孔３１４を形成し、かつ複数の横長孔３１４は、円を描いて軸孔３１３を取り囲むように配置される。必要に応じて、さらに板体３１１の水平方向の両側に、突起部３１５をそれぞれ形成し、位置調整軸受座３１の移動に便利なようにするか、又は位置を固定して位置調整軸受座３１の位置の移動を防ぐ。
【００１２】
図３、３Ａ、３Ｂに開示するように、この考案におけるドーナッツ状の軸受座ベース３２は、円盤状の板体の中心の位置に中心孔部３２２を穿設した固定座本体３２１と、固定座本体３２１に形成され、かつ円を描いて中心孔部３２２と取り囲むように配置される複数の円形孔３２３とを具え、円形孔３２３は、位置調整軸受座３１に形成する横長孔３１４と同数穿設し、かつ横長孔３１４に対応する位置に穿設する。よって、位置調整軸受座３１と軸受座ベース３２とが重なり合うと、それぞれの横長孔３１４と円形孔３２３とが軸方向に対応して固定部材の固定に供する。また、軸受座ベース３２の一方の側には軸方向に沿って延伸し、本体１の側壁への取付けに用いる筒状部３２４が形成される。
【００１３】
また、位置調整軸受座３１と軸受座ベース３２との互いに接触するそれぞれの面の間には、例えば液漏れを防ぐ防水パッキン（図示しない）などの止水部材を設け、位置調整軸受座３１と軸受座ベース３２との接触面において密閉作用を付与し、液漏れ、または圧力の漏れを防ぐ。
【００１４】
この考案は、可動プーリ回転軸取付け手段３を利用して、回転軸１２１が本体１に対して移動可能に本体１に設ける。その取付け構造は、軸受座ベース３２の筒状部３２４を溶接して固定し、軸受座ベース３２と本体１とを一体に連結する。
【００１５】
可動プーリ１２Ａの回転軸１２１の両端は、それぞれ軸受座ベース３２の中心孔部３２２を通過して本体１の外部に出て、回転軸１２１は軸受（図示しない）を介して位置調整軸受座３１に設けられる。よって、回転軸１２１は軸孔３１３において軸受にしたがって回転する。位置調整軸受座３１と軸受座ベース３２は、それぞれの対向する面が接触する。さらに、複数のボルト３３を円形孔３２３と、対応する横長孔３１４とに挿通しナット３４を螺着して締結する。同時に、位置調整軸受座３１と軸受座ベース３２との互いに接触するそれぞれの面の間には止水部材を設け、位置調整軸受座３１と軸受座ベース３２との接触面の間からの液漏れ、または圧力の漏れを防ぐ。また、位置調整軸受座３１と軸受座ベース３２とが平行移動することで行われる軸距の調整を確保するために、位置調整軸受座３１には水平スライドレール３１２を形成し、軸受座ベース３２には水平スライドレール支持部３２５を形成して両部材の間の相対的な水平方向のシフトを確保する。
【００１６】
この考案は、可動プーリ回転軸取付け手段３を介して回転軸１２１を本体１に設け、実際の状況に応じて回転軸１２１と固定プーリ１２Ｂの回転軸１２２との間の軸距を調整する。例えば、図４に開示するように、位置調整軸受座３１と軸受ベース３２の中心が完全に重畳するよう調整した状態にあって、ベルト１１の引っ張る力がきつすぎれば、ナット３４を緩めた後、位置調整軸受座３１と回転軸１２１とを共に図面の右方向に距離ｄだけ移動させて、回転軸１２１と回転軸１２２との間の軸距を短縮し、再度ナット３４で締結する（図４Ｂに開示するとおり）。同時に、位置調整軸受座３１の水平方向の両側の突起部３１５を利用して固定し、ボルト３３が緩んで抜けて、位置調整軸受座３１の位置が左右にずれることを防ぐ。逆にベルト１１の引っ張る力が緩いか、又は摩耗によって緩んだ場合は、ナット３４を緩めて、位置調整軸受座３１と回転軸１２１とを共に図面の左方向に距離ｄだけ移動させて、回転軸１２１と回転軸１２２との間の軸距を延長し、再度ナット３４で締結する（図４Ａに開示するとおり）。横長孔３１４の長さは、軸距を調整する最大範囲の距離である。係る構成によって、ベルト１１のゆるみ具合を迅速に、かつ容易に調整することができ便利であり、染色機本体内において調整する必要がない。
【符号の説明】
【００１７】
Ｍ      布帛染色機
１      本体
１１    ベルト
１２Ａ  可動プーリ
１２Ｂ  固定プーリ
１２１  回転軸
１２２  回転軸
１４    孔部
２      固定プーリ回転軸取付け手段
３      可動プーリ回転軸取付け手段
３１    位置調整軸受座
３１１  板体
３１２  水平スライドレール
３１３  軸孔
３１４  横長孔
３１５  突起部
３２    軸受座ベース
３２１  固定座本体
３２２  中心孔部
３２３  円形孔
３２４  筒状部
３２５  水平スライドレール支持部
３３    ボルト
３４    ナット
ｄ      距離
【図１】
0003220514.tif 000003
【図１Ａ】
0003220514.tif 000004
【図２】
0003220514.tif 000005
【図２Ａ】
0003220514.tif 000006
【図２Ｂ】
0003220514.tif 000007
【図３】
0003220514.tif 000008
【図３Ａ】
0003220514.tif 000009
【図３Ｂ】
0003220514.tif 000010
【図４】
0003220514.tif 000011
【図４Ａ】
0003220514.tif 000012
【図４Ｂ】
0003220514.tif 000013
【手続補正書】
【提出日】平成31年1月8日(2019.1.8)
【手続補正１】
【補正対象書類名】実用新案登録請求の範囲
【補正対象項目名】全文
【補正方法】変更
【補正の内容】
【実用新案登録請求の範囲】
【請求項１】
内部空間を有する本体と、該本体の内部空間に設ける一組、又は複数組の搬送手段とを 含んでなり、
該搬送手段が、エンドレス状にかけ渡されたベルトと、該ベルトの一端に設ける可動プ ーリと、及び該ベルトの他端に設ける固定プーリと、を含んでなり、
該固定プーリ両端の回転軸が、それぞれ軸受を介して該本体の側壁の軸受座に取付けら れ、
該可動プーリ両端の回転軸が軸受を介して位置調整軸受座に取付けられ、かつ該位置調 整軸受座がドーナッツ状の軸受座ベースに取り付けられ、該位置調整軸受座の該軸受座ベ ースに対する位置の違いによって該固定プーリの回転軸と該可動プーリの回転軸との間に 異なる軸距が発生して該ベルトの引っ張りの度合いを調整するように構成することを特徴 とするベルトドライブ式染色機の軸距調整手段。